(57)【特許請求の範囲】
【請求項１】
サービス品質（ＱｏＳ）クラス識別子（ＱＣＩ）を用いてデータフローがベアラに対応付けられる無線アクセスネットワーク内で動作する拡張ノードＢ（ｅＮｏｄｅＢ）であって、
前記ｅＮｏｄｅＢは、ユーザ装置（ＵＥ）から受信したサブＱＣＩを示すＱＣＩ内分類情報に基づいて、同じＱＣＩを有するＵＥへの１つ以上のデータフローのパケットを、前記同じＱＣＩを有するデータフローの前記ＵＥへのパケットに対するスケジューリングの優先順位を示すサブＱＣＩにより分類するＱＣＩ内スケジューラを備え、
前記ＱＣＩ内スケジューラは、前記サブＱＣＩに基づき、無線ベアラによる下りリンクの伝送について、パケットをスケジュールする、
ｅＮｏｄｅＢ。
【請求項２】
ＱＣＩ間スケジューラをさらに備え、
前記ＱＣＩ内スケジューラ及び前記ＱＣＩ間スケジューラは、前記ｅＮｏｄｅＢの媒体アクセス制御（ＭＡＣ）レイヤ内で動作し、
前記ＱＣＩ間スケジューラは、パケットのデータフローの前記ＱＣＩに基づき、前記無線ベアラによる伝送についてのパケットのスケジューリングに関する帯域幅のグラントを割り当て、
前記ＱＣＩ間スケジューラによる前記割り当ての後、前記ＱＣＩ内スケジューラは、前記サブＱＣＩに基づき、前記無線ベアラによる伝送についてグラントの割り当てられたパケットをスケジュールする、
請求項１に記載のｅＮｏｄｅＢ。
【請求項３】
前記ＵＥにより与えられる前記ＱＣＩ内分類情報は、フロー内分類情報又はフロー間分類情報のうちの１つ以上と関連付けられる前記サブＱＣＩを含み、
前記フロー間分類情報は、ソースアドレス、宛先アドレス、ソースポート、宛先ポート、又はプロトコル種別のうちの１つを含む、インターネット・プロトコル（ＩＰ）ヘッダー・フィールド情報を含み、
前記フロー内分類情報は、パケットサイズ又はペイロード情報のうちの１つ以上を含む、
請求項２に記載のｅＮｏｄｅＢ。
【請求項４】
前記ＱＣＩ内スケジューラは、前記ＱＣＩ内分類情報を使用して、前記同じＱＣＩを有する異なるデータフローのパケットを分類するようにさらに構成され、
第１のデータフローのパケットは、第１のサブＱＣＩにより分類され、かつ第２のデータフローのパケットは、第２のサブＱＣＩにより分類され、前記第１のサブＱＣＩは、前記第２のサブＱＣＩより低いスケジューリングの優先順位を有する、
請求項２に記載のｅＮｏｄｅＢ。
【請求項５】
前記ＱＣＩは、既定のベアラに対して用いる所定のＱＣＩを含み、
前記所定のＱＣＩを有する前記既定のベアラのデータフローについて、前記ＱＣＩ内スケジューラは：前記所定のＱＣＩを有し、かつ少なくともいくつかの非リアルタイムアプリケーションと関連付けられるデータフローのパケットを第１のサブＱＣＩにより分類し；かつ前記所定のＱＣＩを有し、かつ少なくともいくつかのリアルタイムアプリケーションと関連付けられるデータフローのパケットを第２のサブＱＣＩにより分類するようにさらに構成され、
前記ＱＣＩ内スケジューラは、前記第２のサブＱＣＩにより分類されるパケットのスケジューリングを前記第１のサブＱＣＩにより分類されるパケットに対して優先させる
請求項２に記載のｅＮｏｄｅＢ。
【請求項６】
前記所定のＱＣＩを有する前記データフローのパケットは、既定のベアラを用いてオーバー・ザ・トップ（ＯＴＴ）で配信され、
前記ＵＥにより与えられる前記ＱＣＩ内分類情報は、前記ＱＣＩ内スケジューラに対して、前記サブＱＣＩにより前記既定のベアラの異なるデータフローをどのように分類するかを示す、
請求項５に記載のｅＮｏｄｅＢ。
【請求項７】
前記無線アクセスネットワークは、３ＧＰＰ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（ＵＴＲＡＮ）ロングタームエボルーション（ＬＴＥ）ネットワーク（Ｅ−ＵＴＲＡＮ）であり、かつ前記既定のベアラの前記ＱＣＩは、３ＧＰＰ  Ｔｅｃｈｎｉｃａｌ  Ｓｐｅｃｉｆｉｃａｔｉｏｎ（ＴＳ）２３．２０３に従って、９である、
請求項６に記載のｅＮｏｄｅＢ。
【請求項８】
前記ＱＣＩは、既定のベアラに対して用いる所定のＱＣＩを含み、
前記所定のＱＣＩを有する前記既定のベアラの同じデータフローに対して、前記ＱＣＩ内スケジューラは、少なくとも部分的にパケットサイズに基づき、所定の宛先ポートと関連付けられるパケットを分類するようにさらに構成される、
請求項１に記載のｅＮｏｄｅＢ。
【請求項９】
前記ＱＣＩ内スケジューラは、所定のネットワーク条件下で、前記サブＱＣＩに基づいて、パケットをスケジュールし、かつ前記所定のネットワーク条件が存在しない場合、前記サブＱＣＩを使用しない、
請求項１に記載のｅＮｏｄｅＢ。
【請求項１０】
前記ｅＮｏｄｅＢは：
ＵＥによりアシストされるＱＣＩ内スケジューリングに対応することを示すために、少なくとも１つ以上のＱＣＩに対してサポートされる前記サブＱＣＩを示すメッセージを前記ＵＥに送信し；
前記ＵＥがＱＣＩ内スケジューリングを開始したことを示すメッセージであって、前記ＱＣＩ内分類情報を含む、メッセージ、を前記ＵＥから受信し；かつ
前記ＵＥにより与えられる前記ＱＣＩ内分類情報に基づき、下りリンクのパケットについてＱＣＩ内スケジューリングを実行するようにさらに構成される
請求項１に記載のｅＮｏｄｅＢ。
【請求項１１】
サービス品質（ＱｏＳ）クラス識別子（ＱＣＩ）を用いてデータフローがベアラに対応付けられる無線アクセスネットワーク内で、無線ベアラによる伝送について、パケットをスケジューリングする方法であって、
拡張ノードＢ（ｅＮｏｄｅＢ）が、ユーザ装置（ＵＥ）から与えられるサブＱＣＩを示すＱＣＩ内分類情報を受信するステップ；
前記ｅＮｏｄｅＢが、前記ＱＣＩ内分類情報に基づき、サブＱＣＩにより、同じＱＣＩを有するデータフローのパケットを分類するステップであって、前記サブＱＣＩは、前記同じＱＣＩを有するデータフローのパケットに関するスケジューリングの優先順位を示す、分類するステップ；及び
前記ｅＮｏｄｅＢが、前記サブＱＣＩに基づき、前記無線ベアラによる前記ＵＥへの下りリンクの伝送について、前記パケットをスケジュールするステップであって、パケットのデータフローの前記ＱＣＩに基づき、帯域幅のグラントが割り当てられる、スケジュールするステップ；
を備える、方法。
【請求項１２】
前記方法は、前記ｅＮｏｄｅＢのＱＣＩ内スケジューラにより、ＵＥによりアシストされるＱＣＩ内スケジューリングのために実行され、
前記方法は、さらに：
ＵＥによりアシストされるＱＣＩ内スケジューリングに対応することを示すために、少なくとも１つ以上のＱＣＩに対してサポートされるサブクラスを示すメッセージを前記ＵＥに送信するステップ；
前記ＵＥがＱＣＩ内スケジューリングを開始したことを示すメッセージであって、前記ＱＣＩ内分類情報を示す、メッセージ、を前記ＵＥから受信するステップ；及び
前記ＵＥにより与えられる前記ＱＣＩ内分類情報に基づき、パケットについてＱＣＩ内スケジューリングを実行するステップ；
を備え、
前記ＱＣＩ内スケジューリングは、前記分類するステップ及び前記スケジュールするステップを含む、
請求項１１に記載の方法。
【請求項１３】
前記ＵＥにより与えられる前記ＱＣＩ内分類情報は、フロー内分類情報又はフロー間分類情報のうちの１つ以上と関連付けられる前記サブＱＣＩを含み、
前記フロー内分類情報は、ソースアドレス、宛先アドレス、ソースポート、宛先ポート又はプロトコル種別のうちの１つ以上を含む、インターネット・プロトコル（ＩＰ）ヘッダー・フィールド情報を含み、
前記フロー内分類情報は、パケットサイズ又はペイロード情報のうちの１つ以上を含む、
請求項１２に記載の方法。
【請求項１４】
サービス品質（ＱｏＳ）クラス識別子（ＱＣＩ）を用いてデータフローがベアラに対応付けられる無線アクセスネットワーク内で動作するユーザ装置（ＵＥ）であって、
前記ＵＥは：
ユーザ装置（ＵＥ）から受信したサブＱＣＩを示すＱＣＩ内分類情報に基づき、同じＱＣＩを有する前記ＵＥへのパケットのスケジューリングの優先順位を示すサブＱＣＩにより、同じＱＣＩを有するＵＥへのデータフローのパケットを分類するように構成されるＱＣＩ内スケジューラを備え、
前記ＱＣＩ内スケジューラは、前記サブＱＣＩに基づき、無線ベアラによる上りリンクの伝送について、パケットをスケジュールし、
前記ＱＣＩ内スケジューラは、１つ以上のデータフローパラメータ又は１つ以上のパケット特性に基づき、サブＱＣＩにより、パケットを分類するためのＱＣＩ内分類情報を決定する、
ＵＥ。
【請求項１５】
ＵＥによりアシストされるＱＣＩ内スケジューリングに対応することを示す、拡張ノードＢ（ｅＮｏｄｅＢ）からのメッセージを受信する物理レイヤ回路素子であって、前記メッセージは、少なくとも１つ以上のＱＣＩについてサポートされる前記サブＱＣＩを示し、前記物理レイヤ回路素子は、前記ＵＥがＱＣＩ内スケジューリングを開始したことを示すメッセージを前記ｅＮｏｄｅＢに対して送信し、前記送信されるメッセージは、下りリンクのパケットについてのＱＣＩ内スケジューリングの実行において前記ｅＮｏｄｅＢにより使用される前記ＱＣＩ内分類情報を含む、物理レイヤ回路素子、をさらに備える、
請求項１４に記載のＵＥ。
【請求項１６】
前記ＵＥにより生成される前記ＱＣＩ内分類情報は、フロー内分類情報又はフロー間分類情報の１つ以上と関連付けられる前記サブＱＣＩを含み、
前記フロー間分類情報は、ソースアドレス、宛先アドレス、ソースポート、宛先ポート、又はプロトコル種別のうちの１つ以上を含む、インターネット・プロトコル（ＩＰ）ヘッダー・フィールド情報を含み、
前記フロー内分類情報は、パケットサイズ又はペイロード情報のうちの１つ以上を含む、
請求項１４に記載のＵＥ。
【請求項１７】
サービス品質（ＱｏＳ）クラス識別子（ＱＣＩ）を用いてデータフローがベアラに対応付けられる無線アクセスネットワーク内で動作する媒体アクセス制御（ＭＡＣ）レイヤスケジューラであって、
前記ＭＡＣレイヤスケジューラは：
ユーザ装置（ＵＥ）から受信したサブＱＣＩを示すＱＣＩ内分類情報に基づき、同じＱＣＩを有するＵＥへの１つ以上のデータフローのパケットを、前記同じＱＣＩを有するデータフローのパケットのスケジューリングの優先順位を示すサブＱＣＩにより分類するＱＣＩ内スケジューラ；及び
前記パケットのデータフローの前記ＱＣＩに基づき、無線ベアラによる伝送について、パケットをスケジュールするための帯域幅のグラントを割り当てる、ＱＣＩ間スケジューラ；
を備え、
前記ＱＣＩ内スケジューラは、前記サブＱＣＩに基づき、グラントの割り当てられた前記無線ベアラによる下りリンクの伝送について、パケットをスケジュールする、
ＭＡＣレイヤスケジューラ。
【請求項１８】
前記ＱＣＩ内スケジューラは、前記サブＱＣＩに基づき、既定のベアラに対応付けられる２つ以上のデータフローのパケットを分類する、
請求項１７に記載のＭＡＣレイヤスケジューラ。
【請求項１９】
前記ＵＥにより与えられる前記ＱＣＩ内分類情報は、フロー内分類情報及びフロー間分類情報のうちの１つ以上と関連付けられるサブＱＣＩを含み、
前記フロー間分類情報は、ソースアドレス、宛先アドレス、ソースポート、宛先ポート、又はプロトコル種別の内の１つ以上を含む、ヘッダ・フィールド情報を含み、
前記フロー内分類情報は、パケットサイズ又はペイロード情報のうちの１つ以上を含む、
請求項１８に記載のＭＡＣレイヤスケジューラ。
【請求項２０】
前記ＱＣＩは、既定のベアラに対して用いる所定のＱＣＩを含み、
前記所定のＱＣＩを有する前記既定のベアラのデータフローについて、前記ＱＣＩ内スケジューラは：前記所定のＱＣＩを有し、かつ少なくともいくつかの非リアルタイムアプリケーションと関連付けられるデータフローのパケットを第１のサブＱＣＩにより分類し；かつ前記所定のＱＣＩを有し、かつ少なくともいくつかのリアルタイムアプリケーションと関連付けられるデータフローのパケットを第２のサブＱＣＩにより分類し、
前記ＱＣＩ内スケジューラは、前記第２のサブＱＣＩにより分類されるパケットのスケジューリングを前記第１のサブＱＣＩにより分類されるパケットに対して優先させる、
請求項１８に記載のＭＡＣレイヤスケジューラ。
【請求項２１】
前記所定のＱＣＩを有する前記データフローのパケットは、既定のベアラを用いてオーバー・ザ・トップ（ＯＴＴ）で配信され、
前記ＵＥにより与えられる前記ＱＣＩ内分類情報は、前記ＱＣＩ内スケジューラに対して、前記サブＱＣＩにより前記既定のベアラの異なるデータフローをどのように分類するかを示す、
請求項２０に記載のＭＡＣレイヤスケジューラ。
【発明の詳細な説明】
【技術分野】
【０００１】
[関連出願の相互参照]
本出願は、２０１２年３月１６日に出願された米国仮特許出願６１／６１２，１８８号の優先権を主張する、２０１２年８月３１日に出願された米国特許出願第１３／６００，６７５号の優先権を主張し、参照することによりその全内容をここに援用する。
【０００２】
複数の実施例は、無線通信に関連する。諸実施例は、３ＧＰＰ  Ｕｎｉｖｅｒｓａｌ  Ｔｅｒｒｅｓｔｒｉａｌ  Ｒａｄｉｏ  Ａｃｃｅｓｓ  Ｎｅｔｏｗｏｒｋ  （ＵＴＲＡＮ）ロングタームエボルーション（ＬＴＥ）ネットワーク（Ｅ−ＵＴＲＡＮ）を含む、各種無線アクセスネットワークにおけるパケットスケジューリングに関連する。諸実施例は、ＬＴＥネットワークのエボルブドパケットコア（ＥＰＣ）に関連する。
【背景技術】
【０００３】
従来のパケットベースの諸無線アクセスネットワークにおいて、各データフローは、特定のサービス品質（ＱｏＳ）クラス又はレベルと関連付けられる場合がある。ＱｏＳレベルは、異なる複数のアプリケーション、ユーザ、又はデータフローに対して、異なる優先レベルを割り当てることを許容し、或いはデータフローに対して一定のレベルの性能を補償することを可能にする。パケットスケジューリングは、データフローの特定のＱｏＳレベルに基づく。スマートフォン、タブレット及びノートブックデバイスといったポータブルインターネットデバイスの普及に伴い、各種アプリケーションのパケットは、デフォルトベアラを使用して、オーバー・ザ・トップ（ＯＴＴ）で配信されている。各種アプリケーションは、ＥＰＣに対して透過的であり、このため、これらのアプリケーションのＱｏＳ要求条件を満たすことが困難になっている。
【発明の概要】
【発明が解決しようとする課題】
【０００４】
従って、各種アプリケーション、及び特にＥＰＣに対して透過的な各種アプリケーションに対して、改善されたＱｏＳサポートを与えるシステム及び方法に対する一般的な必要性が存在する。
【課題を解決するための手段】
【０００５】
諸実施例によると、サービス品質（ＱｏＳ）クラス識別子（ＱＣＩ）を用いてデータフローがベアラに対応付けられる無線アクセスネットワーク内で動作する拡張ノードＢ（ｅＮｏｄｅＢ）であって、前記ｅＮｏｄｅＢは、ユーザ装置（ＵＥ）から受信したＱＣＩ内分類情報に基づいて、同じＱＣＩを有する１つ以上のデータフローの複数のパケットを、前記同じＱＣＩを有する複数のデータフローの複数のパケットに対するスケジューリングの優先順位を示すサブＱＣＩにより分類するＱＣＩ内スケジューラを備え、前記ＱＣＩ内スケジューラは、前記サブＱＣＩに基づき、無線ベアラによる下りリンクの伝送について、複数のパケットをスケジュールする、ｅＮｏｄｅＢ、が提供される。
【０００６】
また、諸実施例によると、サービス品質（ＱｏＳ）クラス識別子（ＱＣＩ）を用いてデータフローがベアラに対応付けられる無線アクセスネットワーク内で、無線ベアラによる伝送について、複数のパケットをスケジューリングする方法であって、ユーザ装置（ＵＥ）により与えられるＱＣＩ内分類情報を受信するステップ；前記ＱＣＩ内分類情報に基づき、サブＱＣＩにより、同じＱＣＩを有する複数のデータフローの複数のパケットを分類するステップであって、前記サブＱＣＩは、前記同じＱＣＩを有する複数のデータフローの複数のパケットに関するスケジューリングの優先順位を示す、分類するステップ；及び前記サブＱＣＩに基づき、前記無線ベアラによる下りリンクの伝送について、前記複数のパケットをスケジュールするステップであって、パケットのデータフローの前記ＱＣＩに基づき、帯域幅のグラントが割り当てられる、スケジュールするステップ；を備える、方法、が提供される。
【０００７】
また、諸実施例によると、サービス品質（ＱｏＳ）クラス識別子（ＱＣＩ）を用いてデータフローがベアラに対応付けられる無線アクセスネットワーク内で動作するユーザ装置（ＵＥ）であって、前記ＵＥは：ＱＣＩ内分類情報に基づき、同じＱＣＩを有する複数のパケットのスケジューリングの優先順位を示すサブＱＣＩにより、同じＱＣＩを有する複数のデータフローの複数のパケットを分類するＱＣＩ内スケジューラを備え、前記ＱＣＩ内スケジューラは、前記サブＱＣＩに基づき、無線ベアラによる上りリンクの伝送について、複数のパケットをスケジュールし、前記ＱＣＩ内スケジューラは、１つ以上のデータフローパラメータ又は１つ以上のパケット特性に基づき、複数のサブＱＣＩにより、複数のパケットを分類するためのＱＣＩ内分類情報を決定する、ＵＥ、が提供される。
【０００８】
また、諸実施例によると、サービス品質（ＱｏＳ）クラス識別子（ＱＣＩ）を用いてデータフローがベアラに対応付けられる無線アクセスネットワーク内で動作する媒体アクセス制御（ＭＡＣ）レイヤスケジューラであって、前記ＭＡＣレイヤスケジューラは：ユーザ装置（ＵＥ）から受信したＱＣＩ内分類情報に基づき、同じＱＣＩを有する１つ以上のデータフローの複数のパケットを、前記同じＱＣＩを有する複数のデータフローの複数のパケットのスケジューリングの優先順位を示すサブＱＣＩにより分類するＱＣＩ内スケジューラ；及び前記パケットのデータフローの前記ＱＣＩに基づき、無線ベアラによる伝送について、複数のパケットをスケジュールするための帯域幅のグラントを割り当てる、ＱＣＩ間スケジューラ；を備え、前記ＱＣＩ内スケジューラは、前記サブＱＣＩに基づき、グラントの割り当てられた前記無線ベアラによる下りリンクの伝送について、複数のパケットをスケジュールする、ＭＡＣレイヤスケジューラ、が提供される。
【図面の簡単な説明】
【０００９】
【図１】諸実施例に従う、無線アクセスネットワークの構成要素を説明する図である。
【図２】諸実施例に従う、各種ベアラを説明する図である。
【図３Ａ】諸実施例に従う、各種ＱｏＳクラス識別子（ＱＣＩ）を説明する図である。
【図３Ｂ】諸実施例に従う、各種サブＱＣＩ特性の例を説明する図である。
【図３Ｃ】諸実施例に従う、ＱＣＩ内分類に基づくパケットサイズを説明する図である。
【図４】諸実施例に従う、ＱＣＩ内スケジューリングプロトコルを説明する図である。
【発明を実施するための形態】
【００１０】
以下の説明及び図面は、具体的な複数の実施例を十分に説明し、これにより、当業者はそれらを実施することが可能となる。他の複数の実施例には、構造的、論理的、電気的、プロセス、及びその他の変更が組み込まれてもよい。諸実施例の部分及び特徴は、他の複数の実施例に含まれてもよい。或いは、他の複数の実施例は、諸実施例の部分及び特徴により代用されてもよい。各特許請求項に記載の各実施例は、各特許請求項の全ての利用可能な均等物を包含する。
【００１１】
図１は、諸実施例に従う、無線アクセスネットワークの構成要素を説明する図である。無線アクセスネットワーク１００は、１つ以上の無線通信チャネル１０３により無線通信を行う、ユーザ装置（ＵＥ）１０２及び拡張ノードＢ（ｅＮｏｄｅＢ）１０４を備えてもよい。無線アクセスネットワーク１００において、各種データフローは、ＱｏＳクラス識別子（ＱＣＩＳ）を用いて、各種ベアラにマップされてもよい。
【００１２】
ｅＮｏｄｅＢ１０４は、ＭＡＣレイヤスケジューラを含む、媒体アクセス制御（ＭＡＣ）レイヤ１５６を含んでもよい。また、ｅＮｏｄｅＢ１０４は、物理（ＰＨＹ）レイヤ回路素子１５４を含んでもよい。ＵＥ１０２は、ＭＡＣレイヤスケジューラ及びＰＨＹレイヤ回路素子１２４を含むＭＡＣレイヤ１２６を含んでもよい。
【００１３】
諸実施例によると、ｅＮｏｄｅＢ１０４のＭＡＣレイヤスケジューラは、ＱＣＩ内スケジューラ１５０を備えてもよい。当該ＱＣＩ内スケジューラ１５０は、ＵＥ１０２から受信するＱＣＩ内分類情報に基づいて、同じＱＣＩを有し、かつ同じＵＥ１０２に関連付けられる１つ以上のデータフローのパケットを分類する。これらの実施例において、サブＱＣＩは、同じＱＣＩを有する複数のデータフローのパケットに対するスケジューリングの優先順位を示してもよい。ＱＣＩ内スケジューラ１５０は、サブＱＣＩに基づき、ｅＮｏｄｅＢ１０４とＵＥ１０２との間の無線ベアラによる下りリンクの伝送のためのパケットをスケジュールしてもよい。これらの実施例については、以下において、より詳しく説明される。
【００１４】
これらの実施例において、同じＱＣＩを有する場合のある異なる複数のデータフローのパケットには、異なる複数のサブＱＣＩが割り当てられてもよい。さらに、（同じＱＣＩを有する）同じデータフローの複数のパケットもまた、異なる複数のサブＱＣＩにより分類されてもよい。これらの実施例において、より高いスケジューリング優先順位を示すサブＱＣＩにより分類される、特定のＱＣＩを有するデータフローのパケットは、同じＱＣＩを有するパケットであって、より低いスケジューリングの優先順位を示すサブＱＣＩを有する、パケット、よりも前にスケジュールされてもよい。これらの実施例において、イントラＱＣＩスケジューリングの実行は、ＵＥ１０２により提供されるＱＣＩ内分類情報に基づく、複数のサブＱＣＩを持つ複数のパケットの分類、及び割り当てられた複数のサブＱＣＩに基づく下りリンクの伝送に対する複数のパケットのスケジューリングを含んでもよい。
【００１５】
これらの実施例において、ＱＣＩ内分類情報をｅＮｏｄｅＢ１０４に与えるのはＵＥ１０２であるため、例えば、ｅＮｏｄｅＢ１０４において、異なる複数のアプリケーション又は異なる複数のデータフローの複数のパケットがどのように優先順位付けされるかについて、決定できるのはＵＥ１０２である。従って、ＵＥによりアシストされるＱＣＩ内下りリンクスケジューリング（ＵＥ−ａｓｓｉｓｔｅｄ  ｉｎｔｒａ−ＱＣＩ  ｄｏｗｎｌｉｎｋ  ｓｃｈｅｄｕｌｉｎｇ）を行うことができる。これらの実施例については、以下において、より詳しく説明される。他の複数の実施例において、ｅＮｏｄｅＢによりアシストされるイントラＱＣＩ上りリンクスケジューリング（ｅＮｏｄｅＢ−ａｓｓｉｓｔｅｄ  ｉｎｔｒａ−ＱＣＩ  ｕｐｌｉｎｋ  ｓｃｈｅｄｕｌｉｎｇ）が実行されてもよい。これらの実施例についても、以下において、より詳しく説明される。
【００１６】
諸実施例において、複数のデータフローは、エボルブドパケットシステム（ＥＰＳ）ベアラによるエンドツーエンドのＱｏＳサポートを与えるために、複数のＱＣＩを用いて、複数のベアラにマップされてもよい。諸実施例において、必要条件ではないが、複数のＱＣＩの複数の特性は、３ＧＰＰ  Ｔｅｃｈｎｉｃａｌ  Ｓｐｅｃｉｆｉｃａｔｉｏｎ（ＴＳ）  ２３．２０３に従ってもよい。
【００１７】
また、複数の実施例によると、ｅＮｏｄｅＢ１０４のＭＡＣレイヤスケジューラは、ＱＣＩ間スケジューラ１５２を含んでもよい。ＱＣＩ間スケジューラ１５２は、パケットのデータフローのＱＣＩに基づき、無線ベアラによるパケットの伝送のスケジューリングのための帯域幅の複数のグラントを割り当ててもよい。ＱＣＩ間スケジューラ１５２による割り当て後、ＱＣＩ内スケジューラ１５０は、サブＱＣＩに基づき、無線ベアラ２０３による伝送のグラントの割り当てられた当該ＱＣＩの複数のパケットをスケジュールしてもよい。
【００１８】
従って、同じＱＣＩの複数のデータフローと関連付けられる複数のパケットは、それらのサブＱＣＩに基づいて、下りリンクの伝送のために優先順位付けされてもよい。諸実施例において、ＱＣＩ内スケジューラ１５０及びＱＣＩ間スケジューラ１５２は、ＬＴＥネットワークスケジューラのように、ＭＡＣレイヤスケジューラの一部として動作してもよい。これらの実施例において、図３Ｂに示されるように、各ＱｏＳクラスは、複数のＱＣＩのうちの１つに対してマップされてもよい（つまり、各データフローは、単一のＱｏＳクラスに関連づけられてもよい）。
【００１９】
諸実施例において、物理（ＰＨＹ）レイヤ回路素子１５４は、無線でＵＥ１０２と通信するように構成されてもよい。物理（ＰＨＹ）レイヤ回路素子１５４が無線でＵＥ１０２と通信するように構成することは、ＵＥ１０２からＱＣＩ内分類情報を受信するように構成されること、及びＵＥ１０２にスケジュールされる複数のパケットを送信することを含む。
【００２０】
これらの実施例において、無線アクセスネットワーク１００は、複数のオープンインターフェースを備えるオールＩＰコアネットワークを提供してもよく、かつＥＰＣと言及されてもよい。ＥＰＣは、より高いスループット、より小さい遅延、３ＧＰＰネットワークと非３ＧＰＰネットワークとの間の簡略化されたモビリティ、拡張されたサービス制御及び提供、及び複数のネットワークリソースの効率的な利用を提供することができる。
【００２１】
諸実施例において、ＱＣＩ内スケジューラ１５０は、複数の所定のネットワーク条件の下で、サブＱＣＩに基づき、複数のパケットをスケジュールしてもよく、かつ当該複数の所定のネットワーク条件が存在しない場合、サブＱＣＩを使用しなくてもよい。これらの実施例において、ＱＣＩ内スケジューラ１５０は、複数の特定のネットワーク条件の下（例えば、輻輳、干渉及びパケット誤り率（ＰＥＲ）の増加、チャネル非信頼性等、パケットの遅延を引き起こす可能性のある条件）においてのみ、複数のパケットをスケジュールするために、サブＱＣＩを用いてもよい。しかしながら、複数の実施例の範囲は、これについては限定されない。これらの複数の特定のネットワーク条件が存在しない場合、ＱＣＩ内スケジューラ１５０（又はＱＣＩ間スケジューラ１５２）は、ＱＣＩに基づいて、伝送のために複数のパケットをスケジュールしてもよい。これらの複数の特定のネットワーク条件が存在しない場合、ＱＣＩ内スケジューラ１５０は、複数のパケットをスケジュールするために、複数のサブＱＣＩを用いることをやめてもよい。
【００２２】
諸実施例において、ＵＥ１０２及びｅＮｏｄｅＢ１０４は、直交周波数分割多重接続（ＯＦＤＭＡ）技術に従って、通信するように構成されてもよい。ＯＦＤＭＡ技術は、異なる上りリンク及び下りリンクのスペクトルを用いる周波数領域デュプレックス（ＦＤＤ）技術、又は上りリンク及び下りリンクに同じスペクトルを用いる時間領域デュプレックス（ＴＤＤ）技術のいずれであってもよい。
【００２３】
図２は、諸実施例に従う、各種ベアラを説明する図である。これらの実施例において、複数のデータフローは、複数のＱＣＩを用いて、複数のベアラ２００にマップされる。複数の実施例によれば、ＱＣＩ内スケジューラ１５０（図１）は、サブＱＣＩに基づいて、無線ベアラ２０３による下りリンクの伝送（つまり、ｅＮｏｄｅＢ１０４とＵＥ１０２との間）に対して、複数のパケットをスケジュールしてもよい。
【００２４】
図２に示されるように、Ｅ−ＵＴＲＡＮ無線アクセスベアラ（Ｅ−ＲＡＢ）２０７は、ＥＰＳベアラ２１１の複数のパケットを、ＵＥ１０２とＥＰＣとの間で転送することができる。Ｅ−ＲＡＢ２０７が存在する場合、Ｅ−ＲＡＢ２０７とＥＰＳベアラ２０９との間に１対１のマッピングが存在してもよい。データ無線ベアラ２０３は、ＥＰＳベアラ２１１の複数のパケットを、ＵＥ１０２とｅＮｏｄｅＢ１０４との間で転送してもよい。データ無線ベアラが存在する場合、当該データ無線ベアラとＥＰＳベアラ又はＥ−ＲＡＢとの間に１対１のマッピングが存在してもよい。Ｓ１ベアラ２０５は、Ｅ−ＲＡＢ２０７の複数のパケットをｅＮｏｄｅＢ１０４とサービング・ゲートウェイ（Ｓ−ＧＷ）１０６との間で転送してもよい。Ｓ５／Ｓ８ベアラ２０９は、ＥＰＳベアラ２１１の複数のパケットを、Ｓ−ＧＷ１０６とパケットデータネットワーク（ＰＤＮ）ゲートウェイ（Ｐ−ＧＷ）１０８との間で転送してもよい。
【００２５】
ＵＥ１０２は、上りリンクにおけるデータフローとデータ無線ベアラとの間のバインディング（関連付け）を生成するために、上りリンクのパケットフィルタとデータ無線ベアラとの間のマッピングを記憶してもよい。ＵＥにおける、上りリンクのトラフィックフローテンプレート（ＴＦＴ）は、上りリンクの方向において、データフローをＥＰＳベアラに対してバインドしてもよい（関連付けてもよい）。複数のデータフローが、同じＥＰＳベアラに多重化されてもよい。ＰＤＮ  ＧＷの中の下りリンクのＴＦＴは、下りリンクの方向において、データフローをＥＰＳベアラに対してバインドしてもよい（関連付けてもよい）。下りリンクのＴＦＴにおける、複数の下りリンクのパケットフィルタを含めることにより、複数のデータフローを同じＥＰＳベアラの上に多重化することができる。Ｐ−ＧＷ１０８は、下りリンクにおいて、データフローとＳ５／Ｓ８ベアラとの間のバインディング（関連付け）を生成するために、下りリンクのパケットフィルタとＳ５／Ｓ８ベアラ２０９との間のマッピングを記憶してもよい。
【００２６】
ｅＮｏｄｅＢ１０４は、上りリンク及び下りリンク双方において、データ無線ベアラとＳ１ベアラとの間のバインディング（関連付け）を生成するために、データ無線ベアラ２０３とＳ１ベアラとの間の１対１のマッピングを記憶してもよい。Ｓ−ＧＷ１０６は、上りリンク及び下りリンク双方において、Ｓ１ベアラとＳ５／Ｓ８ベアラとの間のバインディング（関連付け）を生成するために、Ｓ１ベアラ２０５とＳ５／Ｓ８ベアラ２０９との間の１対１のマッピングを記憶してもよい。
【００２７】
図３Ａは、諸実施例に従う、複数のＱＣＩを示している。これらの実施例において、複数のデータフローは、複数のＱＣＩ３０２を用いて、複数のベアラ２００（図２）にマップされる。各ＱＣＩに対して、リソース種別（補償ビットレート（ＧＢＲ）又は非ＧＢＲ）、優先順位、パケット遅延量、パケット誤り損失率及び複数のサービス例が示されている。
【００２８】
複数の実施例に従い、ＱＣＩ間スケジューラ１５２（図１）は、パケットのデータフローのＱＣＩ３０２に基づき、無線ベアラ２０３による伝送について複数のパケットをスケジュールするための複数の帯域幅のグラントを割り当てる。ＱＣＩ間スケジューラ１５２による割り当ての後、ＱＣＩ内スケジューラ１５０（図１）は、複数のサブＱＣＩに基づき、無線ベアラ２０３による伝送のためのグラントが割り当てられた複数のパケットをスケジュールする。ＱＣＩ間スケジューラ１５２と異なり、ＱＣＩ内スケジューラ１５２は、他の複数のベアラのいずれかではなくて、無線ベアラ２０３（図２）に対してのみ動作する。従って、ＥＰＣからの変更又は追加の信号は必要ではない可能性がある。
【００２９】
諸実施例において、ＵＥ１０２により与えられるＱＣＩ内分類情報は、１つ以上のフロー内分類情報及びフロー間分類と関連付けられる複数のサブＱＣＩを含む。フロー間分類情報は、複数のソースアドレス、複数の宛先アドレス、複数のソースポート、複数の宛先ポート、及び複数のプロトコル種別（例えば、ユーザーデータグラムプロトコル（ＵＤＰ）又は伝送制御プロトコル（ＴＣＰ））を含む、１つ以上のＩＰヘッダフィールドを含んでもよい。フロー内分類情報は、パケットサイズ又はペイロード情報の１つ以上を含んでもよい。これらの実施例において、フロー間分類は、同じＱＣＩを持つ異なる複数のフローの複数のパケットを分類するために使用することができる。フロー内分類情報は、同じデータフローの複数のパケットを分類するために使用することができる。これらの実施例は、ＵＥ１０２が、アプリケーションに基づいて、適切なサブＱＣＩを割り当てることを許容する。例えば、ＱＣＩ内分類情報は、ＩＰ宛先ポート＝７５５８及びパケットサイズが２００バイト未満の下りリンクのパケットを、サブＱＣＩ＝２（高優先順位）を用いて分類し、かつスケジュールすべきであること、及び他の全てのパケットをサブＱＣＩ＝１を用いて分類し、かつスケジュールすべきであることを、ｅＮｏｄｅＢ１０４に通知してもよい。
【００３０】
諸実施例において、ｅＮｏｄｅＢ１０４にフロー間分類を実行させたい場合、ＵＥ１０２は、ｅＮｏｄｅＢ１０４に、複数のサブＱＣＩ及びフロー間分類情報を提供してもよい。諸実施例において、ｅＮｏｄｅＢ１０４にフロー内分類を実行させたい場合、ＵＥ１０２は、複数のサブＱＣＩ及びフロー内分類情報を提供してもよい。諸実施例において、ｅＮｏｄｅＢ１０４にフロー間分類及びフロー内分類の双方を実行させたい場合、ＵＥ１０２は、複数のサブＱＣＩと、フロー内分類情報及びフロー間分類の双方とをｅＮｏｄｅＢ１０４に提供してもよい。諸実施例において、パケットがオーディオ・パケットタイプ、ビデオ・パケットタイプ、ビデオ及びオーディオ・パケットタイプ、又は不明なパケットタイプであるか否かを示すために、複数のフロー内分類ビットを使用してもよい。
【００３１】
諸実施例において、ＱＣＩ内スケジューラ１５０は、ＱＣＩ内分類情報を用いて、同じＱＣＩを持つ異なる複数のデータフローの複数のパケットを分類してもよい。第１のデータフローの複数のパケットは、第１のサブＱＣＩ（つまり、サブＱＣＩ＝１）により分類され、かつ第２のデータフローの複数のパケットは、第２のサブＱＣＩ（つまり、サブＱＣＩ＝２）により分類される。第１のデータフローが、第２のデータフローの複数のＱｏＳ関連のパラメータと比較して、より大きなパケット遅延量及びより大きなパケット誤り損失率の一つを含む複数のＱｏＳ関連のパラメータを有する場合、第１のサブＱＣＩは、第２のサブＱＣＩよりも低い優先順位を有する。従って、異なる複数のサブＱＣＩの使用により、同じＱＣＩを有する異なる複数のデータフローの複数のパケットは、例えば、ネットワークの輻輳があった場合に、異なる処理を受ける。これらの実施例において、同じＱＣＩを有する異なる複数のデータフローには、異なる複数のサブＱＣＩが割り当てられてもよい。
【００３２】
図３Ｂは、諸実施例に従う、複数のサブＱＣＩ特性の例を示す。この例において、２つのサブＱＣＩ（サブＱＣＩ＝１及びサブＱＣＩ＝２）を、規定のベアラ（ＱＣＩ＝９）に対して用いてもよい。諸実施例において、規定のベアラは、複数の非特権加入者に対して使用されてもよい。特権を有する複数の加入者（複数のプレミアム加入者を含む）は、より高い優先順位の複数のＱＣＩ（つまり、１から８のＱＣＩ）を利用可能であってもよい。所定のＱＣＩ（ＱＣＩ＝９）を有する既定のベアラの複数のデータフローに対して、ＱＣＩ内スケジューラ１５０（図１）は、当該所定のＱＣＩを有し、かつ非リアルタイムのいくつかアプリケーションと関連付けられる複数のデータフローを、第１のサブＱＣＩ（すなわち、サブＱＣＩ＝１）により分類してもよく、そして当該所定のＱＣＩを有し、かつリアルタイムのいくつかのアプリケーションと関連付けられる複数のデータフローを、第２のサブＱＣＩ（すなわち、サブＱＣＩ＝２）により分類してもよい。ＱＣＩ内スケジューラ１５０は、第１のサブＱＣＩにより分類される複数のパケットよりも、第２のサブＱＣＩにより分類される複数のパケットのスケジューリングの順位を優先させてもよい。
【００３３】
これらの実施例において、第１のサブＱＣＩは、第２のサブＱＣＩよりも、より低い優先順位、より大きなパケット遅延量、及びより大きなパケット誤り損失率のうちの少なくとも１つを有してもよい。複数のサブＱＣＩを用いたフローに基づく分類の例は、図３Ｂの表に示される。諸実施例において、ＱＣＩ内スケジューラ１５０は、ネットワークの輻輳等の、特定の複数のネットワーク条件が存在する場合においてのみ、第１のサブＱＣＩにより分類される複数のパケットよりも、第２のサブＱＣＩにより分類される複数のパケットのスケジューリングを優先する。しかしながら、複数の実施例の範囲は、これについては限定されない。
【００３４】
諸実施例において、複数のデータフローの複数のパケットは、既定のベアラを用いてＯＴＴ（オーバー・ザ・トップ）で配信される。これらの実施例において、ＵＥ１０２により与えられるＱＣＩ内分類情報は、ＱＣＩ内スケジューラ１５０に対して、既定のベアラの異なる複数のデータフローをサブＱＣＩによってどのように分類するかを示してもよい。これらの実施例は、既定のベアラ（例えば、ＱＣＩ＝９）に対してマップされた複数のアプリケーションの複数のデータフローに対するＱｏＳのサポートを提供する。そのような複数のアプリケーションの例は、ネットワークを通じて使用するための、スマートフォン、タブレット又はウルトラブック等の、携帯インターネットデバイスで実行される複数のアプリケーションを含む。複数のＱｏＳ要求条件は、ネットワーク又は携帯電話会社によっては知られないため（例えば、場合によっては暗号化のため）、これらのアプリケーションにより生成される複数のデータパケットは、ＯＴＴで（すなわち、既定のベアラを使用して）配信されてもよい。複数の実施例は、遅延及びスループットによる異なるＱｏＳ要求条件を有する、スカイプ、フェイスタイム、グーグルトーク及びボイス・オーバ・インターネット・プロトコル（ＶｏＩＰ）等の、複数のリアルタイムのアプリケーションを、ウェブ閲覧や電子メール等の、複数の非リアルタイムのアプリケーションから区別することを可能にする。
【００３５】
諸実施例において、ｅＮｏｄｅＢ１０４は、フロー内副分類を実行してもよい。これらの実施例において、ｅＮｏｄｅＢ１０４は、同じデータフローの複数のパケットを、ＱＣＩ内分類情報に基づいて、異なる複数のサブＱＣＩにより分類してもよい。これらの実施例において、ＱＣＩ内分類情報は、パケットサイズ又はその他のペイロード情報を含む１つ以上のパケットの特性（すなわち、フロー内分類）を含んでもよい。
【００３６】
これらの実施例において、所定のＱＣＩ（すなわち、ＱＣＩ＝９）を有する既定のベアラの同じデータフローについて、ＱＣＩ内スケジューラ１５０は、少なくとも部分的にパケットサイズに基づいて、所定の宛先ポート（例えば、宛先ポート７５５８）に関連付けられる複数のパケットを分類してもよい。ＵＥ１０２により与えられる、ＱＣＩ内分類情報は、ＱＣＩ内スケジューラ１５０に対して、少なくとも部分的に特定のパケットサイズに基づいて、所定の宛先ポートと関連付けられる複数のパケットを分類することを示すことができる。この例が、図３Ｃの表に示される。これらの実施例において、同じデータフローの複数のパケットは、同じ宛先ポートを有してもよい。この例において、所定のパケットサイズ（例えば、２００バイト）以上のサイズを有する、示された宛先ポートと関連付けられる複数のパケットは、第１のサブＱＣＩ（すなわち、サブＱＣＩ＝１）により分類されてもよく、かつ当該所定のパケットサイズ（例えば、２００バイト）未満のサイズを有する、示された宛先ポートと関連付けられる複数のパケットは、第２のサブＱＣＩ（すなわち、サブＱＣＩ＝２）により分類されてもよい。これらの実施例において、第１及び第２のサブＱＣＩは、異なる優先順位、パケット遅延量及びパケット誤り損失率のうちの１つ以上と関連づけられてもよい。これらの複数のフロー内分類パラメータ（例えば、パケットサイズ）の使用は、同じデータフローの複数のパケットに対して、異なるスケジューリングを行うことを可能とする。図３Ｃに示される例において、サブＱＣＩ＝２であるより小さい複数のパケットには、サブＱＣＩ＝１であるより大きな複数のパケットと比較して、より低いスケジューリングの優先順位が与えられてもよい。
【００３７】
これらの実施例において、示された宛先ポート以外の宛先ポートと関連付けられる複数のパケット（すなわち、異なるデータフロー）は、第１又は第２のサブＱＣＩのうちの所定の１つ、又は第３のサブＱＣＩ（図３Ｃにおいて示されるように）により分類されてもよい。これらの実施例において、特定の複数のデータフローの複数のパケットは、複数のサブＱＣＩを使用したフロー内の複数の特性に基づき分類されてもよく、その一方で、異なるデータフローの全てのパケットは、パケットサイズ等のフロー内の複数の特性のいずれにも関係なく、サブＱＣＩにより分類されてもよい。
【００３８】
図４は、諸実施例に従う、ＱＣＩ内スケジューリングプロトコル４００を示す。これらの実施例において、ｅＮｏｄｅＢ１０４（図１）は、ＵＥによりアシストされるＱＣＩ内下りリンクスケジューリングに対応することを示すために、メッセージ４０２をＵＥ１０２に送信してもよい。このメッセージは、１つ以上のＱＣＩに対してサポートされる複数のサブＱＣＩ（例えば、複数のサブクラス）を示してもよい。ｅＮｏｄｅＢ１０４は、メッセージ４０２に応答して、ＵＥ１０２がＱＣＩ内スケジューリングを起動したことを示すメッセージ４０４を、ＵＥ１０２から受信してもよい。メッセージ４０４は、ＱＣＩ内分類情報を含んでもよい。ｅＮｏｄｅＢ１０４は、下りリンクの複数のパケットのＵＥ１０２への伝送のためのメッセージ４０４に応答して、ＵＥ１０２により与えられるＱＣＩ内分類情報に基づいて、ＱＣＩ内スケジューリングを実行してもよい。
【００３９】
諸実施例において、３ＧＰＰ  ＬＴＥ標準のうちの１つに従って、メッセージ４０２は、物理下りリンク制御チャネル（ＰＤＣＣＨ）において、ＵＥ１０２に送信されてもよく、メッセージ４０４は、物理上りリンク制御チャネル（ＰＵＣＣＨ）において、ＵＥ１０２から受信されてもよく、スケジュールされる下りリンクの複数のパケットは、物理下りリンク共有チャネル（ＰＤＳＣＨ）において、ＵＥ１０２に対して送信されてもよい。
【００４０】
また、諸実施例において、メッセージ４０２は、各ＱＣＩに対してサポートされるサブクラス（サブＱＣＩ）の数を示してもよい。各サブクラスは、スカラ量（すなわち、サブＱＣＩ）により一意に識別されてもよい。１つの例示的実施例において、ｅＮｏｄｅＢ１０４は、既定のベアラ（ＱＣＩ＝９）の下で、２つのサブクラスをサポートしてもよく、かつ各サブクラスは、各種ＱｏＳ特性により、事前に構成されてもよい。他の例示的実施例において、ｅＮｏｄｅＢ１０４は、ＱＣＩ＝９に対して２つのサブクラスをサポートしてもよく、ＱＣＩ＝８に対して３つのサブクラスをサポートしてもよく、ＱＣＩ＝７に対して４つのサブクラスをサポートしてもよく、以下同様にサポートしてもよい。これらの例示的な実施例において、１つ以上のＱＣＩのうち（例えば、ＱＣＩ＝１からＱＣＩ＝９）のいずれに対しても、最大Ｎ個までのサブクラスをサポートしてもよく、Ｎは、２から１０以上まで変動してもよい。
【００４１】
各種実施例において、メッセージ４０２に応答して、ＵＥ１０２がＵＥによりアシストされるＱＣＩ内スケジューリングをサポートしないことを示すメッセージ、又はＵＥ１０２がＵＥによりアシストされるＱＣＩ内スケジューリングを起動していないことを示すメッセージを、ＵＥ１０２から受信してもよい。これらの実施例において、ｅＮｏｄｅＢ１０４は、ＵＥによりアシストされるＱＣＩ内スケジューリングを行わないようにしてもよい。
【００４２】
諸実施例において、メッセージ４０６を送信することにより、ＵＥ１０２は、更新されたＱＣＩ内分類情報をｅＮｏｄｅＢ１０４に与えてもよい。例えば、既定のベアラにおいてＵＥ１０２が追加の複数のアプリケーションを実行している場合に、メッセージ４０６が送信されてもよい。また、ＵＥ１０２は、ＵＥによりアシストされるＱＣＩ内スケジューリングを停止状態にしようとする場合に、ｅＮｏｄｅＢ１０４にメッセージ４０８を送信してもよい。
【００４３】
諸実施例において、ＵＥ１０２のＱＣＩ内スケジューラ１２０（図１）は、ＱＣＩ内分類情報に基づき、同じＱＣＩを有する複数のデータフローの複数のパケットを、サブＱＣＩにより分類してもよい。ＱＣＩ内スケジューラ１２０は、無線ベアラ２０３による上りリンクの伝送に関して、サブＱＣＩに基づき、複数のパケットをスケジュールしてもよい。これらの実施例において、ＱＣＩ内スケジューラ１２０は、１つ以上のデータフローパラメータ又は１つ以上のパケット特性に基づいて、複数のパケットを複数のサブＱＣＩにより分類するためのＱＣＩ内分類情報を決定してもよい。従って、ＵＥ１０２は、上りリンクの複数のパケットについてのＱＣＩ内スケジューリングを実行してもよい。しかしながら、当該ＱＣＩ内スケジューリングは、ｅＮｏｄｅＢ１０４の関与又は知識なしで、ＵＥ１０２自身で行うことができるので、この目的に対して、ＵＥ１０２とｅＮｏｄｅＢ１０４との間の追加のメッセージングは必要ではない。諸実施例によると、ＵＥ１０２は、ＱＣＩ間スケジューラ１２２（図１）を含んでもよい。ＱＣＩ間スケジューラ１２２は、パケットのデータフローのＱＣＩに基づき、無線ベアラ２０３（図２）による送信についての複数のパケットのスケジューリングに対する、帯域幅のグラントを割り当ててもよい。
【００４４】
諸実施例において、ｅＮｏｄｅＢ１０４等のｅＮｏｄｅＢのためのＭＡＣレイヤスケジューラが与えられる。これらの実施例において、ＭＡＣレイヤスケジューラは、ＵＥから受信されるサブクラス分類情報に基づいて、既定のベアラにマップされる１つ以上のデータフローの複数のパケットをサブクラスにより分類するように構成されてもよい。サブクラスは、既定のベアラの複数のデータフローの複数のパケットに関するスケジューリングの優先順位を示してもよい。ＭＡＣレイヤスケジューラは、パケットのデータフローのＱＣＩに基づき、無線ベアラによる伝送について、複数のパケットをスケジューリングするための、帯域幅の複数のグラントを割り当ててもよい。そして、ＭＡＣレイヤスケジューラは、サブクラスに基づき、無線ベアラによる下りリンクの伝送についてのグラントの割り当てられた複数のパケットをスケジュールしてもよい。
【００４５】
諸実施例において、ｅＮｏｄｅＢによりアシストされるＱＣＩ内上りリンクスケジューリングのために、図４において、ＵＥ１０２の役割とｅＮｏｄｅＢ１０４の役割を逆にしてもよい。これらの実施例において、ＵＥ１０２（図１）は、「ｅＮｏｄｅＢによりアシストされるＱＣＩ内上りリンクスケジューリング」に対応することを示すために、ｅＮｏｄｅＢ１０４にメッセージ４０２を送信してもよい。当該メッセージは、１つ以上のＱＣＩによりサポートされる複数のサブＱＣＩ（例えば、複数のサブクラス）を示してもよい。ＵＥ１０２は、メッセージ４０２に応答して、ｅＮｏｄｅＢ１０４がＱＣＩ内スケジューリングを開始したことを示すメッセージ４０４を、ｅＮｏｄｅＢ１０４から受信してもよい。メッセージ４０４は、ＱＣＩ内分類情報を含んでもよい。ＵＥ１０２は、メッセージ４０４に応答して、ｅＮｏｄｅＢ１０４により与えられるＱＣＩ内分類情報に基づき、上りリンクの複数のパケットの伝送のためのＱＣＩ内スケジューリングを実行してもよい。
【００４６】
諸実施例において、ＵＥ１０２は、パーソナル・デジタル・アシスタント（ＰＤＡ）、ラップトップ又は無線通信機能を有するポータブルコンピュータ、ウェブタブレット、無線電話、ワイヤレスヘッドセット、ポケットベル、インスタントメッセージング装置、デジタルカメラ、アクセスポイント、テレビ、医療機器（例えば、心拍数モニタ、血圧モニタ等）、又は無線で情報を受信及び／又は送信することができる他のデバイス等の、携帯無線通信装置の一部であってもよい。
【００４７】
ＵＥ１０２及びｅＮｏｄｅＢ１０４は、１つ以上のアンテナを備えてもよい。アンテナは、例えば、ダイポールアンテナ、モノポールアンテナ、パッチアンテナ、ループアンテナ、マイクロストリップアンテナ又はＲＦ信号の送信に適した他のタイプのアンテナを含む、１つ以上の指向性又は無指向性アンテナを含んでもよい。諸実施例において、２つ以上のアンテナの代わりに、複数の開口面を含む単一のアンテナを使用してもよい。これらの実施例において、各開口面を別個のアンテナとみなしてもよい。多入力多出力（ＭＩＭＯ）の諸実施例において、複数のアンテナのうちの各アンテナと送信局のアンテナとの間で結果として生じ得る、空間ダイバーシティ及び異なるチャネル特性を活用するために、アンテナを効果的に分離してもよい。
【００４８】
諸実施例において、ＵＥ１０２は、キーボード、ディスプレイ、不揮発性メモリポート、複数のアンテナ、グラフィックス・プロセッサ、アプリケーション・プロセッサ、複数のスピーカ、及びその他のモバイルデバイスの各種構成要素の１つ以上を備えてもよい。ディスプレイは、タッチスクリーンを含む液晶ディスプレイ（ＬＣＤ）画面であってもよい。
【００４９】
図１において、ＵＥ１０２及びｅＮｏｄｅＢ１０４は、いくつかの分離された機能要素を有するとして示されているが、１つ以上の機能要素を組み合わせてもよく、かつ１つ以上の機能要素は、複数のデジタル信号プロセッサ（ＤＳＰ）を含む処理要素、及び／又は他のハードウェア要素等、ソフトウェアで構成された要素の複数の組合せにより実施されてもよい。例えば、いくつかの要素は、複数のマイクロプロセッサ、複数のＤＳＰ、複数の特定用途向け集積回路（ＡＳＩＣ）、複数の無線周波数集積回路（ＲＦＩＣ）、及び少なくとも本明細書に記載の複数の機能を実行するための各種ハードウェア及び論理回路要素の複数の組合せのうちの１つ以上を含んでもよい。諸実施例において、複数の機能要素は、１つ以上の処理要素上で動作する１つ以上のプロセスのことを言及してもよい。
【００５０】
複数の実施例は、ハードウェア、ファームウェア及びソフトウェアのうちの１つ又は組合せにより実施されてもよい。また、複数の実施例は、コンピュータ読み取り可能な記憶装置に記憶される複数の命令であって、本明細書に記載の複数の動作を実行する１つ以上のプロセッサにより読み出され、かつ実行され得る、複数の命令、として実施されてもよい。コンピュータ読み取り可能な記憶装置は、機械（例えば、コンピュータ）により読み取り可能な形式で情報を記憶するための、いかなる非一時的な機構を含んでもよい。例えば、コンピュータ読み取り可能な記憶装置は、読み取り専用メモリ（ＲＯＭ）、ランダムアクセスメモリ（ＲＡＭ）、磁気ディスク記憶媒体、光記憶媒体、フラッシュメモリデバイス、及びその他の記憶装置及び媒体を含んでもよい。諸実施例において、システム１００は、１つ以上のプロセッサを含んでもよく、かつコンピュータ読み取り可能な記憶装置に記憶された複数の命令により構成されてもよい。
【００５１】
要約は、読者が技術的開示の性質及び要点を確認することを可能にする要約を要求する、３７Ｃ．Ｆ．Ｒ．セクション１．７２（ｂ）の規定に準拠するように設けられている。要約は、特許請求の範囲又は意味を限定又は解釈するためには用いられないという理解と共に提出されている。以下の複数の特許請求項は、本明細書の詳細な説明に組み込まれ、各特許請求項は、それ自身、別個の実施例として成立している。
【図１】
0005905637.tif 000002
【図２】
0005905637.tif 000003
【図３Ａ】
0005905637.tif 000004
【図３Ｂ】
0005905637.tif 000005
【図３Ｃ】
0005905637.tif 000006
【図４】
0005905637.tif 000007